【手続補正書】
【提出日】平成16年5月27日(2004.5.27)
【手続補正１】
【補正対象書類名】明細書
【補正対象項目名】発明の名称
【補正方法】変更
【補正の内容】
【発明の名称】画像処理装置、画像処理システム、画像処理方法、画像配置方法、及び記録媒体
【手続補正２】
【補正対象書類名】明細書
【補正対象項目名】特許請求の範囲
【補正方法】変更
【補正の内容】
【特許請求の範囲】
【請求項１】
一定サイズの出力領域内に任意のサイズの画像を配置する第１の配置手段と、
上記第１の配置手段での配置結果に基づいて、上記画像の所定領域を削除して上記出力領域内へ再配置する第２の配置手段と、
上記第１の配置手段での配置結果、及び上記第２の配置手段での配置結果に基づいて、上記出力領域内への上記画像の配置を決定して当該配置を実行する画像配置手段とを備えることを特徴とする画像処理装置。
【請求項２】
上記第２の配置手段は、上記第１の配置手段での配置結果により、上記画像において上記出力領域に対するはみ出しが発生した場合に、上記画像の幅長に基づいた削除量で上記画像の所定領域を削除することを特徴とする請求項１記載の画像処理装置。
【請求項３】
上記第２の配置手段は、上記第１の配置手段での配置結果により、上記画像において上記出力領域に対するはみ出しが発生した場合に、上記画像の配置領域の幅長に基づいた削除量で上記画像の所定領域を削除することを特徴とする請求項１記載の画像処理装置。
【請求項４】
上記出力領域の向きを設定する領域方向設定手段を備え、
上記第１の配置手段は、上記領域方向設定手段により設定された第１の向きで上記出力領域内へ上記画像を配置する手段と、上記第１の向きとは異なる第２の向きで上記出力領域内へ上記画像を配置する手段とを含むことを特徴とする請求項１記載の画像処理装置。
【請求項５】
上記第１の配置手段は、上記第１の向きで上記出力領域内へ上記画像を配置した結果、上記画像において上記出力領域に対するはみ出しが発生した場合に、上記第２の向きで上記出力領域内へ上記画像を配置することを特徴とする請求項４記載の画像処理装置。
【請求項６】
上記第２の配置手段は、上記第１の配置手段での配置結果により、上記画像において上記出力領域に対するはみ出しが発生した場合、当該はみ出し量を取得し、
上記画像配置手段は、上記はみ出し量に基づいて、上記出力領域内への上記画像の配置を決定することを特徴とする請求項１記載の画像処理装置。
【請求項７】
上記出力領域の向きを設定する領域方向設定手段を備え、
上記第１の配置手段は、上記領域方向設定手段により設定された第１の向きで上記出力領域内へ上記画像を配置する手段と、上記第１の向きとは異なる第２の向きで上記出力領域内へ上記画像を配置する手段とを含み、
上記第２の配置手段は、上記第１の配置手段での配置結果により、上記画像において上記出力領域に対するはみ出しが発生した場合、上記第１の向きでの配置による第１のはみ出し量を取得する手段と、上記第２の向きでの配置による第２のはみ出し量を取得する手段とを含み、
上記画像配置手段は、上記第１のはみ出し量及び上記第２のはみ出し量に基づいて、上記出力領域内への上記画像の配置を決定することを特徴とする請求項１記載の画像処理装置。
【請求項８】
配置対象の画像を順次追加する画像追加手段を備え、
上記第１の配置手段は、上記第１のはみ出し量及び上記第２のはみ出し量の何れかが所定量を超えた場合に、最後の追加画像を配置対象の画像から除外して、上記画像の配置を再度実行することを特徴とする請求項７記載の画像処理装置。
【請求項９】
複数の機器がネットワークを介して接続されてなる画像処理システムであって、
上記複数の機器は、請求項１〜８の何れか１項に記載の画像処理装置を含むことを特徴とする画像処理システム。
【請求項１０】
一定サイズの出力領域内に任意のサイズの画像を配置する第１の配置ステップと、
上記第１の配置ステップでの配置結果に基づいて、上記画像の所定領域を削除して上記出力領域内へ再配置する第２の配置ステップと、
上記第１の配置ステップでの配置結果、及び上記第２の配置ステップでの配置結果に基づいて、上記出力領域内への上記画像の配置を決定して当該配置を実行する画像配置ステップとを備えることを特徴とする画像処理方法。
【請求項１１】
上記第２の配置ステップは、上記第１の配置ステップでの配置結果により、上記画像において上記出力領域に対するはみ出しが発生した場合に、上記画像の幅長に基づいた削除量で上記画像の所定領域を削除することを特徴とする請求項１０記載の画像処理方法。
【請求項１２】
上記第２の配置ステップは、上記第１の配置ステップでの配置結果により、上記画像において上記出力領域に対するはみ出しが発生した場合に、上記画像の配置領域の幅長に基づいた削除量で上記画像の所定領域を削除することを特徴とする請求項１０記載の画像処理方法。
【請求項１３】
任意のサイズの複数の画像を、一定サイズの出力領域内に順次配置する際、その配置画像が上記出力領域での行又は列方向バンド内に揃うように配置する画像配置方法であって、
上記出力領域内に上記複数の画像を配置する第１の配置ステップと、
上記第１の配置ステップでの配置結果により、上記複数の画像が上記出力領域内の上下方向に配置しきれない場合、上記バンド幅の幅長に比例した割合で上記バンド幅を狭め、上記複数の画像が上記出力領域内の左右方向に配置しきれない場合、当該配置しきれない画像が存在するバンド内にあるそれぞれの画像に対して画像幅長に比例した割合で画像幅を狭めることで、上記出力領域内に上記複数の画像の一部もしくは全部の画像の画像周辺部が削除されるように、上記複数の画像の再配置を行なう第２の配置ステップと、
上記第１の配置ステップ及び上記第２の配置ステップでの配置結果に基づいて、上記出力領域内への上記複数の画像の配置を決定して当該配置を実行する画像配置ステップを含むことを特徴とする画像配置方法。
【請求項１４】
上記出力領域の向き情報を設定する領域方向設定ステップを含み、
上記第１の配置ステップは、上記領域方向設定ステップにより設定された第１の向きでの画像配置により、任意の画像が上記出力領域をはみ出した場合に、上記第１の向きとは異なる第２の向きでの画像配置を再び行うステップを含み、
上記第２の配置ステップは、上記第１の配置ステップでの再画像配置により、任意の画像が上記出力領域をはみ出した場合に、上記複数の画像の再配置を行なうステップを含むことを特徴とする請求項１３記載の画像配置方法。
【請求項１５】
上記出力領域の向き情報を設定する領域方向設定ステップを含み、
上記第１の配置ステップは、上記領域方向設定ステップにより設定された第１の向きで画像の配置を行なうステップと、上記第１の向きとは異なる第２の向きで画像の配置を行うステップとを含み、
上記第２の配置ステップは、上記第１の向きでの画像配置により上記複数の画像が上記出力画像内に配置しきれない場合に発生した第１のはみ出し量を取得するステップと、上記第２の向きでの画像配置により上記複数の画像が上記出力画像内に配置しきれない場合に発生した第２のはみ出し量を取得するステップとを含み、
上記画像配置ステップは、上記第１のはみ出し量と第２のはみ出し量のうち、はみ出しの程度が少ない方のはみ出し量に対応する向きでの画像配置を決定するステップを含むことを特徴とする請求項１３記載の画像配置方法。
【請求項１６】
配置対象の画像を順次追加する画像追加ステップを含み、上記画像配置ステップは、上記第１のはみ出し量と上記第２のはみ出し量のうち、はみ出し程度が少ない方のはみ出し量の値が、上記出力領域に対応した一定の割合を初めて超えた時点で、上記画像追加ステップにより最後に追加された画像を配置対象から除外するステップを含むことを特徴とする請求項１５記載の画像配置方法。
【請求項１７】
請求項１〜８の何れか１項に記載の画像処理装置の機能、又は請求項９記載の画像処理システムの機能をコンピュータに実行させるためのプログラムを記録したコンピュータ読取可能な記録媒体。
【請求項１８】
請求項１０〜１６の何れか１項に記載の画像配置方法の処理ステップをコンピュータに実行させるためのプログラムを記録したコンピュータ読取可能な記録媒体。
【手続補正３】
【補正対象書類名】明細書
【補正対象項目名】０００１
【補正方法】変更
【補正の内容】
【０００１】
【発明の属する技術分野】
本発明は、複数の画像を一定サイズの領域内に順次配置するための技術に関し、例えば、Ｘ線等の放射線撮影して得られたディジタル画像を処理する装置やシステムに用いて好適な、画像処理装置、画像処理システム、画像処理方法、画像配置方法、及びそれらを実行するためのプログラムを記録したコンピュータ読取可能な記録媒体に関するものである。
【手続補正４】
【補正対象書類名】明細書
【補正対象項目名】００１６
【補正方法】変更
【補正の内容】
【００１６】
そこで、本発明は、上記欠点を除去するために成されたもので、複数の画像を一定サイズの出力領域に順次配置する際、より多くの画像を効率的に観察しやすい状態で配置することが可能な、画像処理装置、画像処理システム、画像処理方法、画像配置方法、及びそれらを実行するためのプログラムを記録したコンピュータ読取可能な記録媒体を提供することを目的とする。
【手続補正５】
【補正対象書類名】明細書
【補正対象項目名】００１７
【補正方法】変更
【補正の内容】
【００１７】
【課題を解決するための手段】
斯かる目的下において、本発明の画像処理装置は、一定サイズの出力領域内に任意のサイズの画像を配置する第１の配置手段と、上記第１の配置手段での配置結果に基づいて、上記画像の所定領域を削除して上記出力領域内へ再配置する第２の配置手段と、上記第１の配置手段での配置結果、及び上記第２の配置手段での配置結果に基づいて、上記出力領域内への上記画像の配置を決定して当該配置を実行する画像配置手段とを備えることを特徴とする。
【手続補正６】
【補正対象書類名】明細書
【補正対象項目名】００１８
【補正方法】変更
【補正の内容】
【００１８】
本発明の画像処理システムは、複数の機器がネットワークを介して接続されてなる画像処理システムであって、上記複数の機器は、上記画像処理装置を含むことを特徴とする。
【手続補正７】
【補正対象書類名】明細書
【補正対象項目名】００１９
【補正方法】変更
【補正の内容】
【００１９】
本発明の画像処理方法は、一定サイズの出力領域内に任意のサイズの画像を配置する第１の配置ステップと、上記第１の配置ステップでの配置結果に基づいて、上記画像の所定領域を削除して上記出力領域内へ再配置する第２の配置ステップと、上記第１の配置ステップでの配置結果、及び上記第２の配置ステップでの配置結果に基づいて、上記出力領域内への上記画像の配置を決定して当該配置を実行する画像配置ステップとを備えることを特徴とする。
【手続補正８】
【補正対象書類名】明細書
【補正対象項目名】００２０
【補正方法】変更
【補正の内容】
【００２０】
本発明の画像配置方法は、任意のサイズの複数の画像を、一定サイズの出力領域内に順次配置する際、その配置画像が上記出力領域での行又は列方向バンド内に揃うように配置する画像配置方法であって、上記出力領域内に上記複数の画像を配置する第１の配置ステップと、上記第１の配置ステップでの配置結果により、上記複数の画像が上記出力領域内の上下方向に配置しきれない場合、上記バンド幅の幅長に比例した割合で上記バンド幅を狭め、上記複数の画像が上記出力領域内の左右方向に配置しきれない場合、当該配置しきれない画像が存在するバンド内にあるそれぞれの画像に対して画像幅長に比例した割合で画像幅を狭めることで、上記出力領域内に上記複数の画像の一部もしくは全部の画像の画像周辺部が削除されるように、上記複数の画像の再配置を行なう第２の配置ステップと、上記第１の配置ステップ及び上記第２の配置ステップでの配置結果に基づいて、上記出力領域内への上記複数の画像の配置を決定して当該配置を実行する画像配置ステップを含むことを特徴とする。
【手続補正９】
【補正対象書類名】明細書
【補正対象項目名】００２１
【補正方法】変更
【補正の内容】
【００２１】
本発明のコンピュータ読取可能な記録媒体の第１の態様は、上記画像処理装置の機能、又は上記画像処理システムの機能を実行するためのプログラムを記録したことを特徴とする。
【手続補正１０】
【補正対象書類名】明細書
【補正対象項目名】００２２
【補正方法】変更
【補正の内容】
【００２２】
本発明のコンピュータ読取可能な記録媒体の第２の態様は、上記画像配置方法の処理ステップを実行するためのプログラムを記録したことを特徴とする。
【手続補正１１】
【補正対象書類名】明細書
【補正対象項目名】００２３
【補正方法】削除
【補正の内容】
【手続補正１２】
【補正対象書類名】明細書
【補正対象項目名】００２４
【補正方法】削除
【補正の内容】
【手続補正１３】
【補正対象書類名】明細書
【補正対象項目名】００２５
【補正方法】削除
【補正の内容】
【手続補正１４】
【補正対象書類名】明細書
【補正対象項目名】００２６
【補正方法】削除
【補正の内容】
【手続補正１５】
【補正対象書類名】明細書
【補正対象項目名】００２７
【補正方法】削除
【補正の内容】
【手続補正１６】
【補正対象書類名】明細書
【補正対象項目名】００２８
【補正方法】削除
【補正の内容】
【手続補正１７】
【補正対象書類名】明細書
【補正対象項目名】００２９
【補正方法】削除
【補正の内容】
【手続補正１８】
【補正対象書類名】明細書
【補正対象項目名】００３０
【補正方法】削除
【補正の内容】
【手続補正１９】
【補正対象書類名】明細書
【補正対象項目名】００３１
【補正方法】削除
【補正の内容】
【手続補正２０】
【補正対象書類名】明細書
【補正対象項目名】００３２
【補正方法】削除
【補正の内容】
【手続補正２１】
【補正対象書類名】明細書
【補正対象項目名】００３３
【補正方法】削除
【補正の内容】
【手続補正２２】
【補正対象書類名】明細書
【補正対象項目名】００３４
【補正方法】削除
【補正の内容】
【手続補正２３】
【補正対象書類名】明細書
【補正対象項目名】００３５
【補正方法】削除
【補正の内容】
【手続補正２４】
【補正対象書類名】明細書
【補正対象項目名】００３６
【補正方法】削除
【補正の内容】